(57)【要約】【課題】  洗面所等に配置された既存の縦型洗濯機設置用防水パンの四隅部上に配設して傾斜型洗濯機設置用防水パンとして使用可能にする支持脚台を提供する。【解決手段】  傾斜型洗濯機Ａの脚体を支持する天板２の四方周縁に下方に向かって周壁板３を一体に設けてなる支持脚台１であって、洗濯機載置板11の周縁に周壁12を設けてなる既存の防水パン10の四隅部上に配して、その周壁板３の直角に隣接する外側壁板部3a、3aの下端面を周壁12における直角に隣接する隅角部上面に支持させると共に直角に隣接する内側壁板部3b、3bを洗濯機載置板11の隅部上に支持させ、これらの支持脚台１上に傾斜型洗濯機Ａを設置することにより、その洗濯物投入口を縦型洗濯機の洗濯物の投入口と略同じ高さになるようにする。【選択図】    図１
2007321460.tif 000002
【特許請求の範囲】
【請求項１】
防水パンは平面矩形状の載置板の四方周縁に上方に向かって一定高さの周壁を突設していると共に四隅部の上面を縦型洗濯機の載置面に形成してなり、この防水パンにおける上記四隅部上に着脱自在に設置して、洗濯物の投入口が上記縦型洗濯機よりも低い高さ位置に設けている洗濯機の下面四隅部を支持する支持脚台であって、該洗濯機を支持する天板と、この天板の周縁から下方に向かって突設した周壁板とからなり、その天板の高さを防水パンにおける上記周壁から上方に一定高さ突出する高さに形成していることを特徴とする洗濯機設置用防水パンにおける洗濯機支持脚台。
【請求項２】
支持脚台の周壁板は、防水パンの周壁における隅角部上にその下端面を当接、支持させる互いに直角に連らなった横断面Ｌ字状の外側壁板部と、下端面を防水パンの洗濯機載置面上に当接、支持させる互いに直角に連らなった横断面Ｌ字状の内側壁板部とからなり、これらの外側壁板部と内側壁板部との連設角部における下端部に、防水パンの周壁の上面から該周壁の内周面に亘って係合する段状の切欠係合端面を形成していると共に、天板における外側端縁に一定高さの突条部を形成していることを特徴とする請求項１に記載の洗濯機設置用防水パンにおける洗濯機支持脚台。
【請求項３】
支持脚台の周壁板における互いに直角に連らなった外側壁板部の角部において、その上半部を断面Ｌ字状に切欠いて下半部を上半部の下端から外方に突設した段部に形成していると共に、この段部の上面中央部から下方に向かって上端が該段部の上面に開口し、下端が周壁板の下端に対して下方に突出している螺子挿通筒部を一体に形成してあり、この螺子挿通筒部の突出下端部を防水パンの周壁の隅角部上面に穿設している螺子取付孔に挿入、係止させるように構成したことを特徴とする請求項１又は請求項２に記載の洗濯機設置用防水パンにおける洗濯機支持脚台。
【発明の詳細な説明】
【技術分野】
【０００１】
本発明は、洗面所や脱衣所等に配設される縦型洗濯機の設置用防水パンにおいて、この防水パン上に、洗濯物の投入口が該縦型洗濯機よりも低い高さ位置にある洗濯機を設置する際に使用する支持脚台に関するものである。
【背景技術】
【０００２】
従来から、洗濯機用防水パンとしては種々の構造のものが開発されているが、いずれの防水パンにおいても、例えば、特許文献１や特許文献２に記載されているように、上面を洗濯機の載置面に形成している平面矩形状の洗濯機載置板の四方周縁に一定高さの周壁を突設していると共に洗濯機載置板の適所に上面から下方に連通する排水口を設けてなる構造を有している。そして、上記周壁によって洗濯機側からの排水が床面側に漏出するのを防止すると共に、上記排水口を通じて洗濯機のホースから排出される排水を下方の排水トラップ側に流出させるように構成している。
【特許文献１】特開平１１−１４８１５７号公報
【特許文献２】特開２００１−２７１３９７号公報
【発明の開示】
【発明が解決しようとする課題】
【０００３】
しかしながら、洗濯機には、洗濯物の投入口が垂直上方に向いているドラムを備えた洗濯機（以下、縦型洗濯機という）や斜め上方に向いている洗濯機（以下、傾斜型洗濯機という）、或いは、水平方向に向いている洗濯機（以下、横型洗濯機という）などのように投入口の向きが異なった機種があるにもかかわらず、従来の上記洗濯機用防水パンは、いずれの機種の洗濯機であってもその載置面上に設置した状態で使用している。
【０００４】
そのため、洗濯機用防水パンの洗濯機載置板上に縦型洗濯機を設置した場合には、その投入口が洗濯物の出し入れ等の作業が行いやすい高さに位置することになって安定した楽な姿勢で何等支障が生じることなく作業が行えるが、傾斜型洗濯機や横型洗濯機を該洗濯機用防水パンの洗濯機載置板上に設置した場合には、これらの洗濯機における洗濯物の投入口が縦型洗濯機の投入口に比べて低い位置に設けられた設置状態となり、従って、洗濯物の出し入れ等の作業やその他の操作が腰をかがめて行わなければならないために、作業がやりずらいばかりでなく姿勢が不安定となって健康を損なう虞れがあり、さらに、洗濯機載置面の四方周縁に突設している周壁の存在によって傾斜型洗濯機や横型洗濯機の外底面下方の洗濯機載置板上の清掃作業が極めて困難であるといった問題点があった。
【０００５】
本発明はこのような問題点に鑑みてなされたもので、その目的とするところは、既存の縦型洗濯機設置用防水パンを利用して、この防水パン上に洗濯物投入口が縦型洗濯機の投入口と同等な高さ位置となるように傾斜傾斜型洗濯機や横型洗濯機を簡単且つ安定した状態で設置させることができると共にこれらの洗濯機の設置にもかかわらず、防水パンの上面の清掃作業が容易に行うことができる洗濯機支持脚台を提供するにある。
【課題を解決するための手段】
【０００６】
上記目的を達成するために本発明の洗濯機設置用防水パンにおける洗濯機支持脚台は、請求項１に記載したように、平面矩形状の載置板の四方周縁に上方に向かって一定高さの周壁を突設していると共に四隅部の上面を縦型洗濯機の載置面に形成してなる防水パンにおける上記四隅部上に着脱自在に設置して、洗濯物の投入口が上記縦型洗濯機よりも低い高さ位置に設けている洗濯機の下面四隅部を支持する支持脚台であって、該洗濯機を支持する天板と、この天板の周縁から下方に向かって突設した周壁板とからなり、その天板の高さを防水パンにおける上記周壁から上方に一定高さ突出する高さに形成した構造としている。
【０００７】
このように構成した洗濯機の支持脚台において、請求項２に係る発明は、支持脚台における周壁板を、防水パンの周壁における隅角部上にその下端面を当接、支持させる互いに直角に連らなった横断面Ｌ字状の外側壁板部と、下端面を防水パンの洗濯機載置面上に当接、支持させる互いに直角に連らなった横断面Ｌ字状の内側壁板部とから形成してあり、さらに、これらの外側壁板部と内側壁板部との連設角部における下端部に、防水パンの周壁の上面から該周壁の内周面に亘って係合する段状の切欠係合端面を形成していると共に天板における外側端縁に一定高さの突条部を形成していることを特徴とする。
【０００８】
さらに、請求項３に係る発明は、支持脚台の周壁板における互いに直角に連らなった外側壁板部の角部において、その上半部を断面Ｌ字状に切欠いて下半部を上半部の下端から外方に突設した段部に形成していると共に、この段部の上面中央部から下方に向かって上端が該段部の上面に開口し、下端が周壁板の下端に対して下方に突出している螺子挿通筒部を一体に形成してあり、この螺子挿通筒部の突出下端部を防水パンの周壁の隅角部上面に穿設している螺子取付孔に挿入、係止させるように構成している。
【発明の効果】
【０００９】
請求項１に係る発明によれば、縦型洗濯機設置用防水パンの四隅部上に配設されて傾斜型又は横型洗濯機を支持する支持脚台であって、洗濯機を支持する天板と、この天板の周縁から下方に向かって突設した周壁板とからなり、防水パンにおける上記洗濯機載置面からの天板の高さを上記防水パンの周壁の高さよりも高くしているので、縦型洗濯機を傾斜型又は横型洗濯機に買い換え等を行った場合、それまで上記縦型洗濯機を設置していた既存の防水パンをそのまま使用して該防水パンの四隅部上にこの支持脚台を配設するだけで、簡単に傾斜型又は横型洗濯機設置用防水パンを構成することができ、これらの支持脚台上に該傾斜型又は横型洗濯機を設置することによって、その洗濯物の投入口を縦型洗濯機と同様に洗濯物の出し入れ等の作業が容易な高さに位置させることができる。
【００１０】
その上、上述したように、この支持脚台の天板の高さが上記防水パンの周壁よりも高くなるように形成しているから、傾斜型又は横型洗濯機の設置時には防水パンの周壁が邪魔になることなく該洗濯機を容易に且つ安定した状態で支持脚台上に設置することができると共に、設置した洗濯機の外底面と防水パンの洗濯機載置板間にホース接続用のエルボ等を配設するための充分な高さを有する空間を設けることができ、さらに、洗濯機の外底面と防水パンの上面との間隔が広くなって防水パンの周壁の存在にもかかわらず、該周壁上を通じて洗濯機の下方の防水パンの清掃作業が容易に行うことができる。
【００１１】
また、請求項２に係る発明によれば、支持脚台の周壁板は、防水パンの周壁における隅角部上にその下端面を当接、支持させる互いに直角に連らなった横断面Ｌ字状の外側壁板部と、下端面を防水パンの載置面上に当接、支持させる互いに直角に連らなった横断面Ｌ字状の内側壁板部とからなるので、この支持脚台の下端面を防水パンの周壁隅角部上面から防水パンの載置台板の隅部上面に亘って全面的に支持させて洗濯機の荷重をこれらの支持脚台を介して防水パン上に確実に受止させることができると共に、周壁板における上記横断面Ｌ字状の外側壁板部の両端部と該両端部から内方に向かって直角に屈折している内側壁板部との連設部分における下端部に、防水パンの周壁の上面から該周壁の内周面に亘って係合する段状の切欠係合端面を形成しているので、これらの係合端面を防水パンの直角に連らなった隣接する周壁部内面に直角に当接、係合させることによって、支持脚台を防水パンの隅角部の所定位置に簡単且つ正確に設置することができ、これらの支持脚台の天板上に洗濯機の四隅部下面を安定した状態で設置させることができる。
【００１２】
さらに、支持脚台の天板における互いに直角に連らなった外側端縁に、上方に向かって突設した一定高さの突条部を形成しているので、支持脚台上に設置している傾斜型又は横型洗濯機から洗濯水が天板上に流下しても、防水パンの周壁側に該洗濯水が流出するのをこの突条部によって確実に阻止して内側壁板部表面を伝って防水パン内に確実に流下させることができ、該防水パンの載置板の適所に設けている排水口を通じてトラップ側に円滑に流出させることができる。
【００１３】
また、請求項３に係る発明によれば、支持脚台の周壁板における互いに直角に連らなった外側壁板部の角部において、その上半部を断面Ｌ字状に切欠いて下半部を上半部の下端から外方に突設した段部に形成していると共に、この段部の上面中央部から下方に向かって上端が該段部の上面に開口し、下端が周壁板の下端に対して下方に突出している螺子挿通筒部を一体に形成しているので、支持脚台を防水パンにおける洗濯機載置板の隅部上に配設する際に、該螺子挿通筒部の下端部を防水パンの周壁の隅角部上面に穿設している螺子取付孔に挿入、係止させることによって、該支持脚台を傾斜型又は横型洗濯機を設置させることができる防水パンの隅角部上に簡単且つ正確に取付けることができる。
【００１４】
その上、螺子取付孔に対するこの螺子挿通筒部の下端部の挿入、係止と同時に、支持脚台における外側壁板部と内側壁板部との連設角部の下端部に形成している上記段状の切欠係合端面が防水パンの隅角部の両側部における周壁の上面から該周壁の内周面に亘って係合して、支持脚台を所定位置に正確に且つその妄動を確実に防止した状態にして装着することができ、さらに、この螺子挿通筒部から防水パンの周壁隅角部上面に穿設している螺子挿通取付孔にボルト等の螺子を挿通してその下端部を床面等に設けている螺子孔に螺合させることによって、支持脚台を防水パンと一体的に簡単且つ強固に洗濯機設置場所に固定することができる。
【００１５】
また、上記螺子挿通筒部を、支持脚台の周壁板における外側壁板部の角部の下半部に設けている段部の上面から下方に向かって突設しているので、比較的短い螺子によって簡単に且つ安定した状態で固定することができる。さらにまた、この螺子を取り外すことによって、支持脚台を防水パンから撤去することができ、防水パンの点検等も容易に行うことができる。なお、螺子挿通筒部に挿通した螺子の下端部を防水パンの上記取付孔にナット等によって固定して防水パンの四方隅角部上に支持脚台を取付けた状態でこの防水パンを所望場所に配置させるようにすることもできる。
【発明を実施するための最良の形態】
【００１６】
次に、本発明の具体的な実施の形態を図面について説明すると、図１は一般住宅等における洗面所や脱衣所等に配設されている既設の縦型洗濯機（図示せず）用防水パン10に本発明の支持脚台１等を組み入れて傾斜型又は横型洗濯機（以下、傾斜型洗濯機Ａとして説明する）の設置用防水パンとした状態の斜視図、図２はその分解斜視図、図３は支持脚台１部分の縦断面図であって、上記既存の防水パン10は、ＦＲＰやＡＢＳ樹脂などの硬質合成樹脂製成形体であり、洗濯機の横断面積よりも一回り大きい一定厚みを有する平面矩形状の洗濯機載置板11の四方周縁に上方に向かって一定高さと一定幅を有する周壁12を全周に亘って突設していると共に、図４に示すように、上記洗濯機載置板11の前部中央に上下面間に亘って貫通した排水口13を設けている。
【００１７】
さらに、上記載置板11の四隅部上に、ドラムを垂直状に内蔵している上記縦型洗濯機の外底面四方部に取付けた脚体を受止する固定台板部14を一体に形成している。この固定台板部14の高さは上記周壁12の高さよりも低い高さに形成されていると共に、ぞの上面を縦型洗濯機の上記脚体を受止する洗濯機載置面14' に形成している。また、この固定台板部14の平面形状を円形状に形成しておいてもよいが図においては四角形状に形成してあり、その四方壁面における外側の互いに直角な壁面部、即ち、防水パン10の上記周壁12の隅角部に対向する側の外側壁面部はこの周壁12の直角に連続した内壁面に連なって該内壁面と一体に形成されている一方、防水パン10の内側に面している互いに直角な内側壁面部はその下端を防水パン10の載置板11の上面に一体に連設して、載置板10から上方に突設している。
【００１８】
なお、この固定台板部14の上記洗濯機載置面14' は、防水パン10の周壁12側から防水パン10内に向かって、即ち、外側から内側に向かって緩やかに斜め下方に傾斜した傾斜面に形成して、洗濯機からの溢水等が該載置面14' 上に流下した時に、その傾斜面から内側周壁部を伝って防水パン10の載置板11上に流出させるように構成している。また、防水パン10の周壁12の四方角部における上面には、下面に向かって貫通した螺子取付孔15を穿設している。
【００１９】
このように構成した縦型洗濯機設置用防水パン10の洗濯機載置板11における四隅部上に配設して傾斜型洗濯機Ａの設置用防水パンとして使用可能にする支持脚台１は、防水パン10における上記固定台板部14の洗濯機載置面14' を被覆可能な大きさを有する平面矩形状の天板２と、この天板２の四方周縁から下方に向かって突設している下端が全面的に開口した矩形枠形状の周壁板３とからなり、この周壁板３の高さを上記防水パン10の周壁12の高さよりも高く形成している。そして、この支持脚台１を防水パン10の四隅部上に配設してこれらの支持脚台１の天板２上に傾斜型洗濯機Ａの外底面四方部に固着している脚体A1をそれぞれ載置、支持させた時に、該傾斜型洗濯機Ａの洗濯物投入口A2が、防水パン10の載置板11上に直接、設置された時の縦型洗濯機の洗濯物投入口と等しい高さに位置するように、支持脚台１の高さを設定している。
【００２０】
防水パン10における上記固定台板部14よりも一回り大きく形成されているこの支持脚台１の上記周壁板３は、防水パン10の周壁12の隅角部に対応して該周壁12における隅角部上面にその下端面を当接、支持させる互いに直角に連なった横断面Ｌ字状の外側壁板部3a、3aと、上記固定台板部14の互いに直角に連なる内側周壁部を囲むようにして洗濯機載置板11の載置面上にその下端面を当接、支持させる互いに直角に連なった横断面Ｌ字状の内側壁板部3b、3bとからなり、上記外側壁板部3a、3aの下端面は、内側壁板部3b、3bの下端面よりも防水パン10の周壁12の高さに相当する寸法だけ上方に設けられていて図５に示すように外側壁板部3a、3aの両端部と該両端部から内方に向かってそれぞれ直角に屈折している内側壁板部3b、3bとの連設部分における下端部に、直角に連設している外側壁板部3a、3aの端部下端面3a' とこの下端面3a' の内端から下方に屈折した内側壁板部3b、3bの外端面3b' とからなる段状の切欠端面3c、3cが形成されてあり、この切欠端面3c、3cを防水パン10の周壁12の隅角部における直角に連らなった周壁部の上面から該周壁部の内周面に亘ってそれぞれ係合させるように構成している。
【００２１】
さらに、支持脚台１の上記周壁板３における互いに直角に連らなった外側壁板部3a、3aにおいて、その角部の上半部を断面Ｌ字状に切欠いて下半部を上半部の下端から外方に突設した段部3a1 に形成していると共に、この段部3a1 の上面中央部から下方に向かって上端が該段部3a1 の上面に開口し、下端が周壁板３の下端に対して下方に突出している螺子挿通筒部４を一体に形成してあり、この螺子挿通筒部４の突出下端部を上記防水パン10の周壁12の隅角部上面に穿設している上記螺子取付孔15に挿入、係止させるように構成している。この螺子挿通筒部４において、段部3a1 の上面に開口している上端開口部は螺子の頭部を係止状態で収納可能な大径凹部4aに形成している。なお、上記断面Ｌ字状に切欠いた上半部、即ち、外側壁板部3a、3aの角部における上半部と段部3a1 の上面とは、外側壁板部3a、3aに連続した壁面部に形成されている。
【００２２】
また、支持脚台１の上記天板２における外側端縁部、即ち、外側壁板部3a、3aの上端部には、上方に向かって突設した一定高さと一定幅を有する平面Ｌ字状の突条部５を形成していると共にこの天板２の上面も、上記防水パン10の固定台板部14の洗濯機載置面14' と同様に、突条部５側から内側壁板部3b、3bの上端に向かって緩やかに斜め下方に傾斜した傾斜面に形成して、洗濯機からの溢水等が該天板２上に流下した時にその傾斜面から内側壁板部3b、3bの表面を伝って防水パン10の載置板11上に流出させるように構成している。
【００２３】
上記支持脚台１における天板２の下面には図３、図６に示すように、互いに直角に連設している外側壁板部3a、3aに平行して平面Ｌ字状に屈折した複数の補強板片６を順次、内側に向かって所定間隔毎に下方に向かって突設していると共にこれらの補強板片６の両端面は内側壁板部3b、3bの互いに直角な内面（裏面）に対して直角に接続している。さらに、これらの補強板片６のうち、少なくとも最外側の補強板片６の下端を防水パン10における固定台板部14の上面に当接、支持させることができる垂下長さに形成している。支持脚台１の天板２上面における突条部５が設けられていない互いに直角に連なる内側端縁部には、後述する幕板８の上面板8aの両端面に突設している突片8bを受止する支持凹部７を設けている。
【００２４】
幕板８は、防水パン10の四隅部上に上記支持脚台１を配設した際に、隣接する支持脚台１、１における対向する内側壁板部3b、3b間の空間部を塞ぐように配設されるもので、高さが支持脚台１の外側壁板部3a、3aの高さに等しく両端面間の横幅が支持脚台１、１における対向する上記内側壁板部3b、3b間の幅に等しい横長長方形状に形成されてあり、その下端面を対向する支持脚台１、１間における防水パン10の周壁部12の上端面に当接、支持させ、両端面を対向する支持脚台１、１の外側壁板部3a、3aの端面に接合させてその外面を外側壁板部3a、3aの外面と面一状に連続させるように形成している。
【００２５】
さらに、この幕板８の上端部に全長に亘って上記支持脚台１の外側壁板部3a、3aの上端から上方に向かって突設している突条部５と同大、同形の直状突条部９を形成し、この直条部９の両端面を対向する支持脚台１、１における上記突条部５の端面に接合させるように構成していると共にこの突条部５の内面下端から内方に向かって、両端面が上記対向する支持脚台１、１における内側壁板部3b、3bの上端部に接合してその上面を天板２に面一状に連続させる平面長方形状の上面板8aを突設してあり、さらに、この上面板8aの両端面に上記突片8bを突設している。
【００２６】
以上のように構成した支持脚台１と幕板８とを使用して、縦長洗濯機を設置していた周知構造の既存の防水パン10を傾斜型洗濯機Ａの設置用防水パンにするには、縦長洗濯機の撤去跡の防水パン10における四隅部上にそれぞれ支持脚台１、１、１、１を配設する。この際、支持脚台１の周壁板３の下端開口部を防水パン10の四隅部上に設けている縦長洗濯機載置用固定台板部14に被せて、支持脚台１の外側角部における下半部に形成している段部3a1 の上面中央から下方に突設した螺子挿通筒部４の突出下端部を防水パン10の周壁12の隅角部上面に穿設している螺子取付孔15に挿入、係止させると同時に、支持脚台１の外側壁板部3a、3aの両端下部に形成している段状の切欠係合端面3c、3cを防水パン10の周壁12における直角に隣接する隅角部上から内壁面に亘って係止させる。
【００２７】
そうすると、支持脚台１の直角に連なった外側壁板部3a、3aの下端面は防水パン10の周壁12における直角に隣接した隅角部上面に当接、支持された状態になると共に、直角に連なった内側壁板部3b、3bは防水パン10の載置板四隅部上に設けている固定台板部14の内側周壁部を囲むようにしてその下端面を洗濯機載置板11の上面に当接、支持させた状態となり、上記螺子挿通筒部４と螺子取付孔15との係止と、上記両側の切欠係合端面3c、3cと防水パン10の周壁12における直角に隣接する隅角部との係合とによって各支持脚台１は前後左右方向に妄動することなく図７に示すように、防水パン10の載置板11の四隅部上に固定される。
【００２８】
しかるのち、螺子挿通筒部４から螺子取付孔15に螺子16を挿入して該螺子16の下端部を床面に設けている螺子孔に螺着するか、或いは、螺子取付孔15の下面から突出する該螺子16の下端部にナット（図示せず）を螺合させることにより支持脚台１を防水パン10に固着する。図中、17は螺子挿通筒部４の上端部の大径凹部4aの開口端に嵌め込んで、螺子頭を隠蔽しているキャップである。
【００２９】
このように、防水パン10の載置板11の四隅部上に支持脚台１を配設したのち、図８に示すように、傾斜型洗濯機Ａを四方の支持脚台１の天板２上にその外底面に装着している脚体A1を介して設置する。そうすると、この傾斜型洗濯機Ａの洗濯物の投入口A2が上記縦型洗濯機の洗濯物投入口と略同一高さ位置に設けられた状態となり、安定した自然な姿勢で洗濯物の出し入れが可能となる。この傾斜型洗濯機Ａの排水ホースＢは、図７に示すように上記縦型洗濯機と同様に、防水パン10の載置板11に設けている排水口13に配設したエルボＣ等を介して床下側に設けているトラップに連通させた状態にして使用する。
【００３０】
また、防水パン10はその洗濯機載置板11の前部中央に設けている排水口13を手前側にして洗面所や脱衣所等における洗濯機の設置場所に敷設状態に固定されるので、正面側に向けて配設している両側の支持脚台１、１間の空間部から該排水口13部分が見えて外観を損すると共にその空間部から塵埃等が防水パン10内に侵入する虞れがあるので、これらの支持脚台１、１の対向面間に上記幕板８を取付けて上記空間部を該幕板８によって塞ぎ、外部に対して防水パン10内を隠蔽して体裁のよい外観を形成すると共に、塵埃等が侵入するのを阻止する。
【００３１】
この場合、外部から見え難い背面側に配設している支持脚台１、１間には幕板８を必ずしも設ける必要はなく、また、側方においては、洗濯機の側面に近接した状態で壁等が存在していない場合には、幕板８を設けておけばよい。隣接する支持脚台１、１間への幕板８の取付作業は、傾斜型洗濯機Ａの設置後、或いは設置前のいずれであってもよい。その取付けは、幕板８を隣接する支持脚台１、１間に介挿してその下端面を防水パン10の周壁12の長さ方向の中央部上面に当接、受止させることにより、その両端面を支持脚台１、１の対向する外側壁板部3a、3aの端面に密接させ、且つ、該幕板８の上端突条部９の両端面を支持脚台１の突条部５の端面に接合させると共に、この突条部５の内面下端から内方に向かって突設している上面板8aの両端面に突設している突片8b、8bを支持脚台１、１の天板２における内側端縁部に設けている支持凹部７内に嵌入、支持させて該上面板8aの上面を支持脚台１の天板２上面に面一状に連続させる。
【００３２】
この幕板８は、防水パン10上に支持脚台１を介して傾斜型洗濯機Ａが設置されているにもかかわらず、上方に持ち上げることによって隣接する支持脚台１、１間から簡単に取り外すことができ、防水パン10に設けている排水口４等の点検や防水パン10の掃除等が容易に行うことができる。
【００３３】
以上の実施の形態においては、既存の防水パン10として、その載置板11の四隅部上に縦型洗濯機設置用固定台板部14を設けている構造のものを示したが、このような固定台板部14を設けることなく、図９に示すように、載置板11' を全面的に面一状の平坦な面に形成してその四隅部を縦型洗濯機の脚部設置用載置面部に形成すると共に、この載置板11' の周縁に上方に向かって一定高さの周壁12' を突設している既存の防水パン10' にも上記支持脚台１と、必要に応じて幕板８を図10に示すように取付けて傾斜型洗濯機Ａの設置用防水パンを構成してもよい。支持脚台１や幕板８の形状、構造は上記実施の形態で説明したものと同一であり、その取付方も同じであるので、同一部分に同一符号を付して詳細な説明を省略する。
【００３４】
また、防水パン10' の載置板11' の平面形状が図９に示すように長方形状に形成されている場合には、その四方隅角部上に配設する上記支持脚台１としては、図10に示すように載置板11' の長さ方向に平行な内側及び外側の壁板部3a、3bの長さをこれらの内側壁板部3a、3bにそれぞれ直角に連設した幅方向に平行な他方の内側及び外側の壁板部3a、3bの長さよりも長くした平面長方形状に形成して、これらの支持脚台１の天板上で傾斜型洗濯機Ａの脚体を確実且つ安定した状態で設置するように構成している。
【図面の簡単な説明】
【００３５】
【図１】傾斜型洗濯機設置用とした防水パンの斜視図。
【図２】その分解斜視図。
【図３】防水パンの隅角部上に配設した支持脚台の縦断面図。
【図４】既存の防水パンの斜視図。
【図５】要部の拡大分解斜視図。
【図６】支持脚台の下面側から見た斜視図。
【図７】防水パンの四隅部上に支持脚台を配設した状態の斜視図。
【図８】傾斜型洗濯機を設置した状態の斜視図。
【図９】別な構造を有する防水パンの斜視図。
【図１０】この防水パンの四隅部上に支持脚台を配設した状態の斜視図。
【符号の説明】
【００３６】
１  支持脚台
２  天板
３  周壁板
3a、3a  外側壁板部
3b、3b  内側壁板部
3c、3c  切欠係合端面
４  螺子挿通筒部
５  突条部
８  幕板
10  防水パン
11  洗濯機載置板
12  周壁
13  排水口
14  固定台板部
15  螺子取付孔
【図１】
2007321460.tif 000003
【図２】
2007321460.tif 000004
【図３】
2007321460.tif 000005
【図４】
2007321460.tif 000006
【図５】
2007321460.tif 000007
【図６】
2007321460.tif 000008
【図７】
2007321460.tif 000009
【図８】
2007321460.tif 000010
【図９】
2007321460.tif 000011
【図１０】
2007321460.tif 000012